(57)【要約】      （修正有）【課題】屋根上設置物の取り付け部材を屋根上に強固に固定する屋根上設置物の取り付け構造を提供する。【解決手段】屋根板９３の上面に沿って延びる基部１０と、基部１０の上方において設置物を支持する支持部２０とを有している。基部１０には、ボルト固定用の貫通孔１３が形成されている。２つの基部１０が、互いの間に屋根材９３の突出部９３ａを挟むように、貫通孔１３を通じて垂木９１にねじ込まれたボルト３１によって垂木９１に固定されている。【選択図】図３
0003177591.tif 000002
【実用新案登録請求の範囲】
【請求項１】
２枚の屋根板が垂木上で接合され、その接合部分が上方に突出する突出部を形成した屋根上に設置物を取り付ける取り付け構造であって、
前記屋根材の上面に沿って延びる基部と、当該基部の上方において前記設置物を支持する支持部とを有する取り付け部材を備えており、
２つの前記取り付け部材が、前記基部と前記屋根板とを貫通して前記垂木にねじ込まれた螺子部材によって、前記基部同士が前記突出部と当接しつつこれを挟み込むように固定されていることを特徴とする屋根上設置物の取り付け構造。
【請求項２】
前記螺子部材の軸が、前記垂木に向かって斜め下方に前記基部及び前記屋根板を貫通していることを特徴とする請求項１に記載の屋根上設置物の取り付け構造。
【請求項３】
前記基部が、前記屋根板の上面に沿った第１の平板部と、記第１の平板部から、前記屋根板から離隔する方向へと延びる第２の平板部とを含んでおり、
前記支持部が、前記２つの取り付け部材における前記第２の平板部同士の間に挟み込まれた第３の平板部と、前記第３の平板部の上方において前記設置物が固定される設置物固定部とを含んでいることを特徴とする請求項１又は２に記載の屋根上設置物の取り付け構造。
【請求項４】
前記取り付け部材が、
前記屋根板の上面に沿った第１の平板部と、前記第１の平板部から、前記屋根板から離隔する方向へと延びる第２の平板部と、前記第３の平板部の上方において前記設置物が固定される設置物固定部とが一体に形成されることで構成されていることを特徴とする請求項１又は２に記載の屋根上設置物の取り付け構造。
【請求項５】
前記第２の平板部同士の間に、スペーサ板が挟みこまれていることを特徴とする請求項４に記載の屋根上設置物の取り付け構造。
【請求項６】
前記支持部と前記突出部との間、並びに、前記基部と前記屋根板との間のそれぞれに浸水防止用の弾性部材が挟み込まれていることを特徴とする請求項１〜５のいずれか１項に記載の屋根上設置物の取り付け構造。
【考案の詳細な説明】
【技術分野】
【０００１】
本考案は、屋根板同士の接合部が上方に突出した屋根上に設置物を取り付ける取り付け構造に関する。
【背景技術】
【０００２】
金属製の屋根板等を複数枚用いて屋根を葺く場合、屋根板同士の接合部に上方に突出した突出部（馳ぜ部）を形成することがある。このような屋根上に太陽電池モジュールパネル等の屋根上設備を取り付ける方法として、屋根板の突出部を避け、突出部同士の間に形成される屋根板の平面部にボルト等で取り付け金具を固定する場合がある。また、特許文献１のように、突出部自体に取り付け金具を固定することもある。
【先行技術文献】
【特許文献】
【０００３】
【特許文献１】実用新案登録第３１５９６０１号
【考案の概要】
【考案が解決しようとする課題】
【０００４】
通常、屋根板の平面部の下方には、垂木等の屋根材を支持する部材が存在しない。このため、屋根板の平面部にボルト等で取り付け金具を固定すると強度を確保しにくい。また、取り付け金具を屋根板の突出部に固定する場合も、取り付け金具が結局は屋根板にのみ保持されるため、強度を確保できない。
【０００５】
本考案の目的は、取り付け部材を屋根上に強固に固定することが可能な屋根上設置物の取り付け構造を提供することにある。
【課題を解決するための手段】
【０００６】
本考案の屋根上設置物の取り付け構造は、２枚の屋根板が垂木上で接合され、その接合部分が上方に突出する突出部を形成した屋根上に設置物を取り付ける取り付け構造であって、前記屋根材の上面に沿って延びる基部と、当該基部の上方において前記設置物を支持する支持部とを有する取り付け部材を備えており、２つの前記取り付け部材が、前記基部と前記屋根板とを貫通して前記垂木にねじ込まれた螺子部材によって、前記支持部同士が前記突出部と当接しつつこれを挟み込むように固定されている。
【考案の効果】
【０００７】
取り付け部材が屋根板のみならず、垂木にも固定されるため、屋根上に強固に固定される。
【図面の簡単な説明】
【０００８】
【図１】本考案の一実施形態に係る取り付け部材が取り付けられた屋根の斜視図である。
【図２】屋根の縦断面図である。
【図３】取り付け部材の正面図である。
【図４】取り付け部材の右側面図である。垂木に固定するためのボルトの図示は省略している。
【図５】取り付け部材の平面図である。垂木に固定するためのボルトの図示は省略している。
【図６】本考案の別の実施形態に係る取り付け部材の斜視図である。
【考案を実施するための形態】
【０００９】
以下、本考案の一実施形態に係る屋根上設置物の取り付け構造１について、図面を参照しつつ説明する。
【００１０】
取り付け構造１は、太陽電池モジュールパネル等の屋根上設備を屋根上に取り付けるためのものである。本実施形態の取り付け構造１が用いられる屋根としては、いわゆる陸屋根が想定されている。なお、傾斜のある屋根に取り付け構造１が用いられてもよい。この場合、取り付け構造１全体が屋根の傾斜に応じ、傾斜して配置される。屋根９０は、垂木９１、下地９２及び複数枚の屋根板９３を有している。垂木９１は、図１のＡ方向に関して等間隔に配列され、Ｂ方向に沿って延びている。下地９２は、木製の合板などからなる平板状部材であり、Ａ方向及びＢ方向の両方向に平面的に広がっている。
【００１１】
屋根板９３は、金属製の薄板からなり、水平に配置されている。各屋根板９３は、隣接した２本の垂木９１間に跨って配置されており、Ａ方向に関する両端が垂木９１の上方に位置している。Ａ方向に隣接する屋根板９３同士は、垂木９１上方の端部において接合されている。この接合部は、図２に示す吊り子９４に固定されている。吊り子９４は、縦断面がＬ字型になるように折り曲げられた金属の薄板であり、下地９２を貫通するように打ち込まれた釘９５によって垂木９１に固定されている。各屋根板９３の端部は吊り子９４に沿って上方に折り曲げられ、さらにその上端において、隣の屋根板９３の端部との間に吊り子９４の上端を挟むように互いに折り重ねられている。このような屋根板９３同士の接合によって、屋根板９３の突出部９３ａが垂木９１上に形成されている。
【００１２】
取り付け構造１は、図１に示すように、複数の取り付け部材２を有している。取り付け部材２は、屋根板９３の突出部９３ａに、屋根上設備の架台の一部であるアングル８０を取り付けるための部材である。取り付け部材２は、垂木９１の１本おきに設けられている。なお、取り付け部材２が垂木９１ごとに設けられてもよいし、２本おきに設けられてもよい。
【００１３】
取り付け部材２は、図３〜図５に示すように、２つの基部１０及び１つの支持部２０を有している。基部１０は、金属製の平板をＬ字型に直角に折り曲げることにより構成されたＬ字板１１と、両面が粘着面である防水シート１２とを有している。Ｌ字板１１は、屋根板９３に水平に沿った水平板１１ａ（第１の平板部）と、水平板１１ａの一端から上方（屋根板９３から離隔する方向）に延びた鉛直板１１ｂ（第２の平板部）とを有している。水平板１１ａには、Ｂ方向に沿って並んだボルト固定用の３つの貫通孔１３が形成されている。各貫通孔１３は、Ａ方向に長尺な楕円の概略形状を有している。鉛直板１１ｂには、Ｂ方向に沿って並んだボルト固定用の２つの貫通孔１４が形成されている。防水シート１２は、ブチルゴムなどの水を通さない弾性材料から構成されている。防水シート１２は、水平板１１ａの下面に全面に亘って貼り付けられていると共に、端部がＬ字板１１の角に沿って上方に折り曲げられ、鉛直板１１ｂの下部に貼り付けられている。防水シート１２のかかる端部は、後述のように屋根板９３上に固定された際、図３に示すように突出部９３ａの上端まで到達するように調整されている。
【００１４】
２つの基部１０は、屋根板９３の突出部９３ａを挟んで背中合わせに配置され、屋根板９３状にボルト３１で固定されている。ボルト３１は、水平板１１ａの貫通孔１３を通じ、屋根板９３及び下地９２を貫通するように、垂木９１に向かって斜め下方にねじ込まれる。貫通孔１３は、上記の通りＡ方向に長尺に形成されており、Ａ方向に関してボルト３１の軸より若干大きさに余裕がある。このため、図３のＣ１方向又はＣ２方向に沿ってボルト３１のねじ込み方向を調整することができる。基部１０の水平板１１ａには３つの貫通孔１３が形成されているが、このうち、Ｂ方向に両側の２つの貫通孔１３が使用される。残りの中央の貫通孔１３は、両側の２つのいずれかにおいてボルト３１のねじ込みが失敗した等の場合に予備として使用される。
【００１５】
基部１０は、Ｌ字板１１に貼り付けられた防水シート１２が屋根板９３の突出部９３ａ及び屋根板９３の水平面にそれぞれ密着するように固定される。これにより、雨水や雪解け水などが突出部９３ａやボルトの貫通孔などから浸入するのが抑制される。
【００１６】
支持部２０は、鉛直方向に沿った金属製の平板である鉛直板２１（第３の平板部）と、水平方向に沿った金属製の平板である水平板２２（設置物固定部）とを有している。鉛直板２１には、Ｂ方向に沿って並んだボルト固定用の２つの貫通孔２３が形成されている。この貫通孔２３は、基部１０の鉛直板１１ｂ側の貫通孔１４と側面視においてちょうど重なる位置に配置されている（図４参照）。水平板２２は、Ａ方向に関して中央部において鉛直板２１の上端と固定されている。水平板２２には、Ａ方向に沿って並んだ２つの貫通孔２４が形成されている。貫通孔２４はアングル８０をボルト等で水平板に固定するための孔である。支持部２０全体のＢ方向に関する幅は、基部１０のＢ方向に関する幅より一回り小さい（図４参照）。支持部２０は、その鉛直板２１が基部１０の鉛直板１１ｂ同士の間に挟まれるようにボルト３２及びナット３３によって２つの基部１０に固定されている。この状態で、支持部２０の下端は、屋根板９３の突出部９３ａより若干上方に配置される。
【００１７】
以上説明した本実施形態によると、取り付け部材２が屋根板９３のみならず、垂木９１にも固定される。このため、取り付け部材２が強固に固定され、太陽電池モジュールパネル等の屋根上設置物の取り付け強度を確保できる。
【００１８】
また、本実施形態では、取り付け部材２を垂木９１に固定する際、ボルト３１を斜めにねじ込む。したがって、垂木９１の幅が狭いことなどの理由により貫通孔１３と垂木９１とがＡ方向に多少ずれている場合にも、ボルト３１の先端を垂木９１まで届かせやすい。また、基部１０の水平板１１ａに形成された貫通孔１３がＡ方向に長尺に形成されているため、ボルト３１の角度を調整しやすく、さまざまな幅の垂木９１に対応しやすい。
【００１９】
また、本実施形態では、支持部２０の鉛直板２１が２つの基部１０同士の間に配置されている。一方、２つの基部１０同士の間には、その下部に屋根板９３の突出部９３ａが挟まれている。したがって、基部１０上部において基部１０同士の間に何もなければ、間隙が形成されてしまう。仮に間隙が生じた状態で基部１０同士をボルトで固定すると、基部１０下部において屋根板９３の突出部９３ａを挟みつつ基部１０上部のみが互いに接近することにより、上部と下部の間に曲げ負荷がかかるおそれがある。これに対し、本実施形態では、支持部２０の鉛直部２１が基部１０同士の間に存在しており、これがスペーサの役割を果たす。これにより、基部１０上部と下部の間で曲げ負荷がかかりにくい。
【００２０】
以下、上述の実施形態とは別の実施形態について説明する。上述の実施形態では、屋根上設置物が固定される支持部２０と基部１０とが互いに別体で構成されている。しかし、当該別の実施形態に係る取り付け部材１０２は、図６に示すように、支持部と基部とが一体に構成されている。取り付け部材１０２は、金属製の平板がコ字型に折り曲げられることにより構成されたコ字板１１０を２つ有している。コ字板１１０は、屋根板９３の上面に沿った下水平部１１１（第１の平板部）と、下水平部の一端から上方に延びた鉛直部１１２（第２の平板部）と、鉛直部の上端から水平に延びた上水平部１１３（設置物固定部）との３つの平板部分を有している。
【００２１】
下平板部１１１には、コ字板１１０をボルトで垂木９１に固定するための３つの貫通孔１１４が形成されている。この貫通孔１１４は、上述の実施形態と同様、Ａ方向に長尺な楕円の概略形状を有している。鉛直部１１２には、もう一方のコ字板１１０とのボルト固定用の２つの貫通孔１１５が形成されている。上水平部１１３には、アングル８０とのボルト固定用の貫通孔１１６が形成されている。
【００２２】
この構成において、２つのコ字板１１０を、その鉛直部１１２同士の間に屋根板９３の突出部９３ａを挟むように、貫通孔１１４を通じてボルトで垂木９１に固定する。これにより、上述の実施形態の取り付け部材２と同様に、取り付け部材１０２を介して屋根上設置物を屋根に取り付けることができる。コ字板１１０同士は、貫通孔１１５を通じ、矢印Ｄに示すようにボルトで固定される。なお、鉛直部１１２同士の間隙を塞ぐため、鉛直部１１２同士の間にスペーサ板１２０を設けてもよい。このスペーサ板１２０にはボルト固定用の２つの貫通孔１１７が形成されており、矢印Ｄに示すボルト固定によって鉛直部１１２に固定される。
【符号の説明】
【００２３】
１        取り付け構造
１０      基部
１２      防水シート
２０      支持部
９０      屋根
９１      垂木
９３      屋根板
９３ａ    突出部
【図１】
0003177591.tif 000003
【図２】
0003177591.tif 000004
【図３】
0003177591.tif 000005
【図４】
0003177591.tif 000006
【図５】
0003177591.tif 000007
【図６】
0003177591.tif 000008